(57)【要約】【課題】上方から縁切りをして形成されたフランジ部と、回路基板に取り付ける舌片状の爪がある、製造コストが抑えられた、プレス絞り加工品であるシールドケースにする。【解決手段】プレス絞りによって形成された容器部１Ｃを有し、容器部１Ｃの開放端部側に、プレスと同じ縦方向からの縁切りによって形成されたフランジ部７，７と、プレス絞りの際に垂直に立ち上げられた、回路基板に取り付ける舌片状の爪５，５があるシールドケース１にした。【選択図】図１
2018117108.tif 000002
【特許請求の範囲】
【請求項１】
金属材料をプレス絞り加工して形成した４側壁部と天板とを備える、下方が開放された略四角筒形状の容器部を有し、
前記４側壁部のうちの複数の側壁部における各開放縁部の横長さ途中個所から下方に、回路基板の係合穴内に突入する舌片状の爪が夫々延出し、
該各爪と該各爪の基部両側方に設けられた切欠き部とを除いた前記４側壁部の各下端部分に、横外方向に折曲したフランジ部が形成され、
該フランジ部は、前記プレス絞り加工の後における縦方向からの縁切りによって残った横外方向の突出幅が短いものであることを特徴とするシールドケース。
【請求項２】
順送プレス加工によるシールドケースの製造方法であって、
テープ状金属材料に開口部を夫々開設して、該開口部の内側に、接続部で支持された、側部に舌片状の複数の爪を有する平板面を形成する工程と、
該平板面の前記爪を除いた周囲面をプレス金型のダイと枠形状のしわ抑え板とにより挾着して、前記平板面の中央部をプレス金型のパンチを用いた絞り加工をして、４側壁で囲まれた開放端部側に前記爪部と周囲面を有し、両端が支持部で接続された略四角形状の容器部を前記金属材料の内側に形成するプレス絞り工程と、
中段高さにある外向きの段部がある段付き形状のパンチをダイ穴内に突入させて、前記周囲面の縁切りを行って、前記容器部に横外方向の突出幅が短いフランジを残したシールドケースとスクラップとに切り分ける縁切り（剪断）行程と、が行われ、
前記プレス絞りよって、水平向きにあった前記爪部が、ダイ穴の上端縁部である肩部に押し付けられて、垂直方向に立ち上げられることを特徴とするシールドケースの製造方法。
【発明の詳細な説明】
【技術分野】
【０００１】  本発明は、縦方向の縁切りによって形成されたフランジ部と、回路基板に取り付ける舌片状の爪がある、プレス絞り加工されたシールドケースと、このシールドケースの製造方法に関する。
【背景技術】
【０００２】  特許文献１の図２（ｂ）と図８に、下方が開放された略四角筒容器形状を有し、側壁部から下方に位置決め用の爪を突出させた２種類のシールドケースが示されている。
前者のシールドケース２は、プレス加工の１種である抜き加工と絞り加工によって形成されている。このシールドケース２は、４側壁部のコーナー部の開放端部から下方に爪４，４・・が突出した形状を有している。
後者のシールドケース２においては、側壁部３，３の横長さ中央箇所から下方に爪４，４が突出している。
何れのシールドケース２，２も、側壁部４，４・・の下端部は下向きの縁部にて形成されている。
【先行技術文献】
【０００３】
【特許文献】
【特許文献１】特開２００２−２８０７８７号公報
【発明の概要】
【発明が解決しようとする課題】
【０００４】  側壁部４，４・・の下端部が下向きの縁部は、シールドケース２，２の製造工程において、この縁部に生じている耳の除去がされて同じ高さに揃えられている。平板を絞り加工をすると、板面が絞られて４側壁部の開放側縁部に高さの違いによる波形の耳が生じるが、この耳を残すとシールドケースを基板上に装着した際にシールドケースと基板上面との間に隙間が生じ、電磁波漏れの原因になる。また、シールドケースの装着姿勢が不安定になる。
従来、耳の除去は、絞り加工の後、加工品の横方向から剪断する方法で行われていた。
しかしながら、プレス方向と直角となる横方向から剪断する方法は、駆動構造が複雑であり、設備費用と金型費用が高くなる不具合がある。とくに携帯通信機の電子回路基板に取り付ける高精度で小型のシールドケースの製造は容易ではない。【０００５】  本発明は、プレス絞りによって形成された容器部を有し、該容器部の開放端部側に、プレスと同じ縦方向からの縁切りによって形成されたフランジ部と、プレス絞りの際に垂直に立ち上げられた、回路基板に取り付ける舌片状の爪があるシールドケースを提供することを解決課題とする。
また、プレス絞り加工おいて、プレスと同じ縦方向からの縁切りによってフランジ部を設けることにより、横方向からの耳切りを不要にしたシールドケースの製造方法を提供することにを解決課題とする。
【課題を解決するための手段】
【０００６】  請求項１に係るシールドケースは、次の構成を備える。
（１）金属材料をプレス絞り加工して形成した４側壁部と天板とを備える、下方が開放された略四角筒形状の容器部を有する。
（２）前記４側壁部のうちの複数の側壁部における各開放縁部の横長さ途中個所から下方に、回路基板の係合穴内に突入する舌片状の爪が夫々延出している。
（３）該各爪と該各爪の基部両側方に設けられた切欠き部とを除いた前記４側壁部の各下端部分に、横外方向に折曲したフランジ部が形成されている。
（４）該フランジ部は、前記プレス絞り加工の後における縦方向からの縁切りによって残った横外方向の突出幅が短いものである。【０００７】  本発明に係るシールドケースは、略四角筒形状の容器部の開放端部側に、舌片状の複数の爪と、フランジ部とが設けられている。
容器部が有する４側壁部は、プレス絞り加工によって天板と一体形成されており、４箇所の角部には丸みがあり、各側壁部と天板との間の角部にも丸みがあるため、形状安定性に優れ、角部の皺を抑えたプレス絞りを可能にする。
前爪部は、前記容器部の開放端部の複数個所に設けられており、記爪部の設ける位置は、前記容器部の角を除いた箇所であればよいが、回路基板に安定して装着するためには、対向２側壁に設けることが好ましい。
フランジ部は、容器部に形成される前の平板部の周縁面をプレス方向と同じ方向である縦方向からの縁切りによって形成されている。この縁切りをプレス絞り加工に続く一連の縦方向の動作で行うと、横方向から縁切りするための特別な駆動構造は不要になり、製造コストが抑えられる。【０００８】  請求項２に係るシールドケースの製造方法では、次の構成を有する。
（１）順送プレス加工によるシールドケースの製造方法である。
（２）テープ状金属材料に開口部を夫々開設して、該開口部の内側に、接続部で支持された、側部に舌片状の複数の爪を有する平板面を形成する工程を有する。
（３）該平板面の前記爪を除いた周囲面をプレス金型のダイと枠形状のしわ抑え板とにより挾着して、前記平板面の中央部をプレス金型のパンチを用いた絞り加工をして、４側壁で囲まれた開放端部側に前記爪部と周囲面を有し、両端が支持部で接続された略四角形状の容器部を前記金属材料の内側に形成するプレス絞り工程を有する。
（４）中段高さにある外向きの段部がある段付き形状のパンチをダイ穴内に突入させて、前記周囲面の縁切りを行って、前記容器部に横外方向の突出幅が短いフランジを残したシールドケースとスクラップとに切り分ける縁切り（剪断）行程とを有する。
（５）前記プレス絞りよって、水平向きにあった前記爪部が、ダイ穴の上端縁部である肩部に押し付けられて、垂直方向に立ち上げられる。【０００９】  請求項２に係るシールドケースの製造方法は、シールドケースとスクラップとに分断する前記縁切り（剪断）が、プレス動作と同じ上下方向で行なわれるため、従来の横からの剪断のために必要としていた複雑で費用の掛る駆動構造を必要としない。
【発明の効果】
【００１０】  本発明に係るシールドケースによれば、プレス絞りによって形成された容器部を有し、該容器部の開放端部側に、プレスと同じ縦方向からの縁切りによって形成されたフランジ部と、プレス絞りの際に垂直に立ち上げられた、回路基板に取り付ける舌片状の爪があるシールドケース下方が開放された略四角筒容器形状を有し、対向する２側壁部の開放端部に舌片状の爪部とフランジ部が設けられた形状にした結果、重量コストを低減しつつ、形状安定性と形状精度に優れ、電波漏れし難いシールドケースになる。
とくに、プレス方向と同じ縦方向から前記縁切りを行なってフランジ部を容器側に残すと、従来では製造コスト高になるプレス方向と直角になる横方向からの縁切りが不要になり、耳のない高精度なシールドケースにすることが出来る。
請求項２に記載のシールドケースの製造方法においても同様の効果を奏する。
【発明を実施するための形態】
【００１１】  本発明の好適なる実施形態を以下の実施例において詳述する。
【図面の簡単な説明】
【００１２】
【図１】（ａ）は本発明実施形態に係るシールドケースを斜め下方から見た斜視図、（ｂ）は同じく底面図、（ｃ）は同じく正面図、（ｄ）は同じく右側面図。
【図２】（ａ）は本発明実施形態に係るシールドケースと回路基板を示した斜視図、（ｂ）はシールドケースを回路基板に取り付けた状態を示す断面図。
【図３】（ａ）は順送プレス絞り加工によって形成されたテープ状金属材料の各工程における加工面を示した平面図、（ｂ）は同じく正面断面図。
【図４】（ａ）は図３（ａ）に示す第１工程における材用加工面の拡大図、（ｂ）は第２工程面の拡大図、（ｃ）は第３工程面の拡大図。
【図５】（ａ）は絞り加工前の材料加工面を絞り金型とともに示した拡大平面図、（ｂ）は同じく正面断面図。
【図６】（ａ）は絞り加工の状態をフランジ部を破断する位置で示した正面断面図、（ｂ）は絞り加工とともに行われる爪起こしを爪を破断する位置で示した正面断面図。
【図７】（ａ）は縁切りを行う第５工程の状態を示した正面断面図、（ｂ）はその一部拡大図。
【図８】シールドケースの製造後に残ったスクラップをシールドケースと共に示した平面図。
【実施例】
【００１３】  図１（ａ）〜（ｄ）に示す本発明実施形態に係るシールドケース１は、金属製材料材料の絞りプレス加工品であり、舌片状の爪部５，５とフランジ部７，７とが設けられた、下方が開放された略四角筒形状容器で構成されている。【００１４】  詳述すると、シールドケース１は、絞りプレス加工により形成された４側壁部３，３・・と、４側壁部３，３・・で囲まれた一方側を閉鎖させた天板部２とによって略四角筒形状の容器部１Ｃが形成されており、４側壁部３，３・・で囲まれた他方側が開放されている。４側壁部３，３・・の角部は、絞りプレス加工によって形成されているため、丸みがある。天板部２と４側壁部３，３・・とは丸みのある折曲になっている。
本実施形態においては、容器部１Ｃには、４側壁部３，３・・の一方において対向する２側壁部３，３の各開放縁部の横長さ中央個所から下方に向けた舌片状の爪部５，５が夫々延出して設けられている。
容器部１Ｃには、各爪部５，５と各爪部５，５の基部両側方に設けられた切欠き部６，６・・とを除いた４側壁部３，３・・の各開放縁部分を横外方向に折曲させた突出幅が短いフランジ部７，７が設けられている。【００１５】  図２（ａ）に示すように、シールドケース１は、２個所にある爪部５，５を回路基板５０に設けられている切欠き穴５０ａ、５０ａ内に突入させて、回路基板５０上に実装されている電子部品５１の周囲をシールドし、電子部品５１から放射される電磁波の外部漏れを防止する。
図２（ｂ）は、回路基板５０上にシールドケース２が取り付けられた状態を示している。【００１６】  発明者が試作したシールドケース１は、板厚０．２ｍｍの金属製材料材料による精密絞りプレス加工品であり、幅方向の内寸が１５×１５ｍｍ（公差±０．１ｍｍ）、フランジ部５の下端部から天板部２の内面に至る高さ方向の内寸が３ｍｍ（公差＋０．２ｍｍ、−０ｍｍ）、爪部４の高さが０．７ｍｍ、爪部４の横幅が１．３ｍｍである。このような爪部５，５とフランジ部７，７とがある高精度で小さな形状である。【００１７】図３（ａ）（ｂ）に示すように、シールドケース１は、テープ状金属材料１０が順送プレス加工の複数の工程（第１〜第５工程）を経て製造される。
図３（ａ）（ｂ）と図４（ａ）に示す第１工程においては、テープ状金属材料１０に２個の平行な長孔１０ａ，１０ａが打ち抜き加工によって開設される。
続く図３（ａ）（ｂ）と図４（ｂ）に示す第２工程においては、テープ状金属材料１０に２個一対の開口部のうちの１個である前部側の開口部１０ｂが打ち抜き加工によって形成される。
そして、図３（ａ）（ｂ）と図４（ｃ）に示す第３工程においては、開口部１０ｂと前後対称形状を有する角形アーチ形状の後部側の開口部１０ｃが形成される。前後一対の開口部１０ｂ，１０ｃの形成に伴い、開口部１０ｂ，１０ｃの間には両端部が接続部１０ｅ，１０ｅで材料枠部分１ｆに接続された略８角平板形状の平板面１０Ａが形成される。接続部１０ｅ，１０ｅにはテープ長さ方向が長い長孔１０ａ，１０ａが設けられている。方形の角を面取りした略８角平板形状の平板面１０Ａは、後に続く絞り加工において皺の発生が抑えられた容器部を形成するのに適した形状である。【００１８】  図３（ａ）（ｂ）示す第４工程である絞り前の直前の状態が、図５（ａ）（ｂ）に示されている。この状態において、平板面１０Ａの周囲面１ｋと接続部１０ｅ，１０ｅと枠部１０ｆとが、ダイ穴３１を囲むダイ上面３０ａと枠形状のしわ抑え板４０との間に挾持される。【００１９】  続く図６（ａ）（ｂ）に示す絞り工程において、パンチ２１の降下に伴い、図５Ａ（ｂ）に示す平板面１０Ａは、プレス絞り加工によりフランジ状の周囲面１ｋがある容器部１Ｃが形成される。【００２０】  そして、この絞り工程において、水平向きであった爪５，５は、ダイ穴３１の上端縁部である肩部に押し付けられて垂直方向に起こされる。【００２１】  この後、図７（ａ）（ｂ）に示す第５工程の縁切り（剪断）が行われる。
縁切り（剪断）で使用されるパンチ２２は、高さ途中部に若干外側に広がる大きさの突段部２２ｃが形成され、２側面に爪受け溝２２ｄ，２２ｄが縦方向に形成されたものが使用される。
パンチ２２の下降に伴い、パンチ２２の突段部２２ｃが平板面の周囲面１ｋを縁切りして、容器部１Ｃ側のフランジ部７と、その周囲のスクラップ部１０ｓとに分断する。【００２２】  図８にシールドケース１が切り離されたスクラップと、シールドケース１とが示されている。
本発明実施形態に係るシールドケース１は、以上の工程を経て製造される。
【産業上の利用分野】
【００２３】  本発明に係るシールドケースは、移動体無線用通信機、携帯電話機、スマートフォン等の電子部品の分野で利用される。
【符号の説明】
【００２４】１    シールドケース
２    天板部
３    側壁部
５    爪部
６    切欠き部
７    フランジ部
【図１】
2018117108.tif 000003
【図２】
2018117108.tif 000004
【図３】
2018117108.tif 000005
【図４】
2018117108.tif 000006
【図５】
2018117108.tif 000007
【図６】
2018117108.tif 000008
【図７】
2018117108.tif 000009
【図８】
2018117108.tif 000010